(57)【要約】【課題】トリガレバーやグリップ部を必要とせず本体の小型化を図るとともに、日没後の作業も可能にしたエアダスタを提供すること。【解決手段】エアダスタ本体１を手の平に収まる程度の大きさに形成するとともに、本体１の前面には前方を照射するライト６を、本体１の側面には押しボタン５を配置し、該押しボタン５の押し操作に連動して開放バルブ１１の開放を行ないプラグ３と噴出し口４とを連通させて圧縮空気を噴出し口４から噴き出すとともに、上記ライト６を点灯させるスイッチ２０を作動させ、噴出し口４の前方を照射するようにした。【選択図】図１
2008264651.tif 000002
【特許請求の範囲】
【請求項１】
エアダスタ本体の後端にはエアホースを接続するプラグを、先端には圧縮空気を噴き出す噴出し口をそれぞれ配置し、上記噴出し口から圧縮空気を噴き出してゴミや埃を噴き飛ばすエアダスタにおいて、
エアダスタ本体を手の平に収まる程度の大きさに形成するとともに、本体の前面には前方を照射するライトを、本体の側面には押しボタンを配置し、該押しボタンの押し操作に連動して開放バルブを作動させ上記プラグと噴出し口とを連通させて圧縮空気を噴出し口から噴き出すとともに、上記ライトを点灯させるスイッチを作動させることを特徴とするエアダスタ。
【請求項２】
前記噴出し口には圧縮空気の噴出し量を調整する流量調整機構を配置した、請求項１記載のエアダスタ。
【請求項３】
前記ライトを前記噴出し口の周囲に複数配置し、前記スイッチは前記開放バルブより先に作動するようにした、請求項１又は２記載のエアダスタ。
【発明の詳細な説明】
【技術分野】
【０００１】
本発明は、エアダスタ、詳しくは建築現場などで工事をする際、埃やごみをエアで噴き飛ばして工事現場をきれいにするエアダスタで、小型化して携帯しやすくしたエアダスタに関するものである。
【背景技術】
【０００２】
従来、建築現場で床施工をする場合施工前に綺麗に清掃してから床張りを行なっているが、施工途中でも床材の木屑や下材の隙間に入ったおが屑が出てしまうため、釘打ち機とエアダスタの２つの工具を持ち運びながら作業を行なっているが、エアダスタを置き忘れてしまうと、置き忘れた場所まで取りに戻らなければならず作業を中断しなければならない問題があった。そのため、釘打ち機にエアダスタを内蔵したものが提案されている（例えば、特許文献１）。
【特許文献１】特開２００４−２３７４１７号公報
【発明の開示】
【発明が解決しようとする課題】
【０００３】
本発明が解決しようとする問題点は、上述の釘打ち機は釘打ち機本体の汚れたオイルが噴出し、床材などの部材を汚してしまう問題や、２つの装置から構成されているため障害の発生する確率は高くなり、何れかの装置に障害があったときには障害の装置を抱えたまま一方の装置のみを使用しなければならない問題があるし、作業が日没に及ぶような場合は作業場所が充分照明されていない場合は別途照明の手配をしなければならない問題もあった。
【０００４】
本発明は、上記問題点を解決し、トリガレバーやグリップ部を必要とせず本体の小型化を図るとともに、日没後の作業も可能にしたエアダスタを提供することを課題とする。
【課題を解決するための手段】
【０００５】
前記課題を解決するために本発明に係るエアダスタは、エアダスタ本体の後端にはエアホースを接続するプラグを配置し、先端には圧縮空気を噴き出す噴出し口を配置し、噴出し口から圧縮空気を噴き出してゴミや埃を噴き飛ばすエアダスタにおいて、
エアダスタ本体を手の平に収まる程度の大きさに形成するとともに、本体の前面には前方を照射するライトを、本体の側面には押しボタンを配置し、該押しボタンの押し操作に連動して開放バルブを作動させ上記プラグと噴出し口とを連通させて圧縮空気を噴出し口から噴き出すとともに、上記ライトを点灯させるスイッチを作動させることを特徴とする。
【０００６】
なお、前記噴出し口には圧縮空気の噴出し量を調整する流量調整機構を配置することが好ましい。
【０００７】
また、前記ライトを前記噴出し口の周囲に複数配置し、前記スイッチは前記開放バルブのより先に作動するようにし、ライトの点灯後に圧縮空気が噴射することが好ましい。
【発明の効果】
【０００８】
請求項１の発明によれば、トリガレバーを引いて開放バルブを作動させる従来のエアダスタに対し、押しボタンの押し操作で開放バルブの開放を行なうようにしたので小さいストロークで開放バルブを操作でき、エアダスタ本体の小型化を図ることができるとともに、噴出し時にはライトを点灯させるので日没後の作業でも作業場所の状況を確認しながら、確実に清掃を行なうことができる。
【０００９】
請求項２の発明によれば、噴出し口からの圧縮空気の噴き出し量を調整できるので、清掃場所の広さや噴き飛ばす対象などに柔軟に対応することができる。
【００１０】
請求項３の発明によれば、圧縮空気を噴き出す前にライトが点灯するので、清掃場所を確認してから圧縮空気を噴き出すことができる。しかもライトを噴出し口の周りに複数配置することにより死角がなくなり清掃する場所を確実に確認することができる。
【発明を実施するための最良の形態】
【００１１】
図１において符号Ａは、本発明に係るエアダスタを示し、このエアダスタＡはエアダスタ本体１が手の平に収まる程度の大きさで略卵状に形成され、片手で握りながら圧縮空気の噴き出し操作ができるようにしたもので、後端には圧縮空気を供給するエアホース２を接続するプラグ３を設け、先端には圧縮空気を噴き出す噴出し口４が設けられ、本体中央に配置された押しボタン５を押し操作することにより後述する開放バルブ１１が作動してプラグ３と噴出し口４を連通させて圧縮空気を噴出し口４から噴き出すことができるようにしたもので、噴出し口４の周囲には複数（本発明では２つ）のライト６が配置され、圧縮空気の噴き出し時にはエアダスタＡの前方を明るく照射することができるようになっている。
【００１２】
なお、図１において、符号７はプラグ３に埃などが入らないようにする本体１に着脱可能な防塵カバー、符号８は本体１を吊るして携帯できるようにするためのストラップをつけるフック取付部を示す。
【００１３】
図２は、エアダスタAの内部構造を示す要部断面図で、プラグ３と噴出し口４の間のエア通路１０には開放バルブ１１と、流量調節機構１２が設けてある。
【００１４】
上記開放バルブ１１は、図３（ａ）に示すように、Ｏリング１５、１６で上下動可能に支持され、コイルスプリング１７で常に外方に付勢されてＯリング１８でエア通路１０を閉鎖するようになっており、本体１の側面に配置された押しボタン５をコイルスプリング１７に抗して押し込むことにより、図３（ｂ）に示すように、Ｏリング１８によるエア通路１０の閉鎖が解除されて第１のエア通路１０ａと第２のエア通路１０ｂとが連通し、圧縮空気は矢印ａのように第１のエア通路１０ａから第２のエア通路１０ｂに流れるようにしたものである。
【００１５】
そして、押しボタン５と開放バルブ１１との間には上記ライト６を点灯させるスイッチ２０が配置されている。
【００１６】
このスイッチ２０は本体１のカバー２１に形成された支持板２２に支持され、この支持板２２は周囲が薄肉状に形成され押しボタン５の押し操作で本体内部に押し込まれるようになっている。上記支持板２２と開放バルブ１１との間には空間ｂが設けられ、押しボタン５を軽く押すと先ずスイッチ２０がＯＮし、さらに押しボタン５を押し込むと支持板２２が撓んで開放バルブ１１に当接してコイルスプリング１７に抗して開放バルブ１１を押し込むようになっている。
【００１７】
このことにより、押しボタン５を軽く押した状態ではライト６だけが点灯し、強く押した場合はライト６が点灯した状態で噴出し口４から圧縮空気を噴き出すことができる。
【００１８】
なお、図示しないが上記スイッチ２０と直列に電源スイッチを設け、ライト６の点灯が必要ないときは電源スイッチをＯＦＦしておけば無闇にライトを点灯させることがなくなりバッテリの消耗を抑えることができる。
【００１９】
また、エアホース２を繋げなければ、押しボタン５を押し操作したときにはライト６だけが点灯するのでライトとしても使用することができる。
【００２０】
そして、流量調節機構１２は、図４（ａ）に示すように、エア通路内にOリング２５、２６で支持され、前後に移動可能に配置された可動軸２７と可動軸２７の先端に設けられた可動弁２８とダイヤル２９とで構成され、リング状のダイヤル２９の内周面に形成された雌ネジ部３０と可動弁と一体の可動軸の外周面に形成された雄ネジ部３１とが螺合し、ダイヤル２９を正逆回転すると可動弁２８は可動軸２７と一体で前後進して円錐状に形成された可動弁２８の先端部２８ａが、噴出し口４内に入出して噴出し口４から噴き出される圧縮空気の流量を調整することができるようになっている（図４（ｂ）参照）。
【００２１】
上記構成のエアダスタＡによれば、プラグ３にエアホース２を接続し、図示しないエアコンプレッサから圧縮空気が供給される状態にし、本体１を片手で握って噴出し口４を清掃場所に向けて握った手の親指で押しボタン５を軽く押し操作すれば、先ずスイッチ２０が押されてＯＮしてライト６が点灯し、清掃場所を明るく照らすことができる。
【００２２】
その後、押しボタン５をさらに押し込むと、スイッチ２０を取り付けてある支持板２２が押し込まれ、この支持板２２が開放バルブ１１に当接し、この開放バルブ１１をスプリング２３に抗して押圧するのでOリング１８とエア通路１０との間に間隙が生じ（図３（ｂ）参照）、圧縮空気は開放バルブ１１を通過し可動軸２７の横を通って噴出し口４から前方に噴き出すことになる。
【００２３】
また、噴出し口４から噴き出される圧縮空気の流量は、ダイヤル２９を回転させて可動軸２７を前進させると可動弁２８の先端部２８ａが噴出し口４の中に進入し、噴出し口４の入り口側の開口面を小さくするので（図４（ｂ）参照）、噴出し口４に流入する圧縮空気の流量が少なくなり、結果として弱い噴き出しになり、可動軸２７を後退されると噴出し口４の入り口側の開口面を全面開口するので（図４（ａ）参照）、噴出し口４に流入する圧縮空気の流量が多くなり、結果として強い噴き出しを行なうことができる。
【００２４】
上述したように、本発明のエアダスタＡによれば、エアダスタを保持するグリップや、開放バルブを操作するトリガレバーなどを必要としないので本体の小型化が図れ、使用しないときはポケットなどに収納したり、ストラップでベルトに下げたりすることができ、釘打機とエアダスタをそれぞれ両手で持って移動する必要がなく、エアダスタを移動させるのを忘れてもとの場所に取りに戻るような無駄な行動を防止することができるとともに、圧縮空気の噴き出し時には事前にライト６を点灯させて作業場所を明るく照らすので、作業が夜間に及ぶ場合は別途照明を用意することなく継続して作業を行なうことができる。
【００２５】
しかも、ダイヤル２９を回して圧縮空気の噴き出し量を調整できるので、必要以上に圧縮空気を使用することがなくなり、ゴミの飛散を抑えることができ作業者にも優しいエアダストを提供することができる。
【図面の簡単な説明】
【００２６】
【図１】本発明に係るエアダストの平面図
【図２】上記エアダストの要部断面図
【図３】（ａ）（ｂ）は開放バルブとスイッチとの関係を説明する拡大断面図
【図４】（ａ）（ｂ）は流量調整機構の構造及び動作を説明する拡大断面図
【符号の説明】
【００２７】
１    エアダスタ本体
２    エアホース
３    プラグ
４    噴出し口
６    ライト
１１    開放バルブ
２０    スイッチ
【図１】
2008264651.tif 000003
【図２】
2008264651.tif 000004
【図３】
2008264651.tif 000005
【図４】
2008264651.tif 000006